(57)【特許請求の範囲】
【請求項１】
遊技機の基板を収容する遊技機の基板ケースであって、
開口部を有し、前記基板ケースの表面に突設されたエアガイドを備えており、
前記エアガイドは、前記基板ケースの内側空間と外側空間との間で、前記開口部を介して、空気の流通を可能にする通風空間を形成し、
前記基板ケースは、前記開口部が上方に向くように遊技機に取り付けるものであり、
前記開口部はリブにより区画されて複数の開口を形成していることを特徴とする遊技機の基板ケース。
【請求項２】
前記エアガイドに、前記開口部に向かうにつれて、基板ケースの外側に傾斜した傾斜面が形成されている請求項１に記載の遊技機の基板ケース。
【請求項３】
前記基板ケースの裏面側に、前記エアガイドの形成領域を囲んだ壁面で放熱空間を形成している請求項１又は２に記載の遊技機の基板ケース。
【請求項４】
請求項１から３のいずれかに記載の遊技機の基板ケースを用いた遊技機であって、遊技機の外観を構成する筐体と、前記基板ケース内に基板を収容した基板ユニットとを備えており、前記基板ユニットは、前記基板ケースの前記開口部が上方に向くように、前記筐体の内部に配置されていることを特徴とする遊技機。
【発明の詳細な説明】
【技術分野】
【０００１】
本発明は、遊技機の制御基板等の基板を収容する基板ケースに関し、より詳しくは、基板の放熱を図るとともに、不正行為防止を図る基板ケースの通風構造に関する。
【背景技術】
【０００２】
電気的な制御を必要とするスロットマシン等の遊技機では、外観を構成する筐体内に、基板ユニットを備えている。基板ユニットは、基板ケース内に制御基板を収容したものである。制御基板に実装するＣＰＵ等の制御部品は発熱体でもあるため、基板ユニットには、放熱対策が必要になる。このため、通常、基板ケースには、通風孔を形成し、基板ケース内の熱を外部に逃がすようにしている。
【０００３】
一方、通風孔は、不正行為を容易にする原因にもなる。すなわち、通風孔が形成されていることにより、遊技機の外部から侵入させた針金等の不正器具を、通風孔を経てさらに基板ケース内に侵入させることが容易になる。
【０００４】
下記特許文献１に記載の遊技機では、基板ボックスに放熱部を設け、放熱部に内側遮蔽部と外側遮蔽部とを設け、通気孔を基板ボックスの内側から外側へクランク状に連通させ、内側から外側に向って直線状に開口する部分がないようにしている。この構成によれば、放熱効果が得られるとともに、不正器具を基板ボックス内に挿入する不正行為を防止することができる。
【先行技術文献】
【特許文献】
【０００５】
【特許文献１】特開２００８−３０７１７０号公報
【発明の概要】
【発明が解決しようとする課題】
【０００６】
しかしながら、前記特許文献１の構成では、放熱部は内側遮蔽部に加え外側遮蔽部を設けているため、放熱部に占める遮蔽部の割合が高くなり、開口部の割合が低くなる。また、通気孔はクランク状に連通しているため、直線状の通気孔に比べ通気性が低下する。すなわち、この構成では、不正行為防止には有利になるが、放熱効率の点では不利になる。
【０００７】
本発明は、前記のような従来の問題を解決するものであり、基板の放熱効果を高めつつ不正行為を防止でき、あわせて物体の侵入防止を図ることができる遊技機の基板ケース及び遊技機を提供することを目的とする。
【課題を解決するための手段】
【０００８】
前記目的を達成するために、本発明の遊技機の基板ケースは、遊技機の基板を収容する遊技機の基板ケースであって、開口部を有し、前記基板ケースの表面に突設されたエアガイドを備えており、前記エアガイドは、前記基板ケースの内側空間と外側空間との間で、前記開口部を介して、空気の流通を可能にする通風空間を形成し、前記基板ケースは、前記開口部が上方に向くように遊技機に取り付けるものであり、前記開口部はリブにより区画されて複数の開口を形成していることを特徴とする。
【０００９】
この構成によれば、基板ケースを開口部が上方に向くように遊技機に取り付けることにより、エアガイドで形成された通風空間に流動した基板ケース内の熱気が、エアガイドで案内されて、開口部を経て上方に排気されるので、基板の放熱効果が高まる。一方、エアガイドの開口部は上方に向いているので、不正器具の侵入方向が制限される。また、遊技機の外部から侵入させた針金等の不正器具を、基板ケースの開口部を経て基板ケース内に侵入させようとした場合、不正器具は突設されたエアガイドで形成された通風空間を経なければ、基板ケース内に侵入させることができない。このため、不正器具はエアガイドに案内されて侵入経路が制限されるので、不正器具を目的の位置に到達させることが困難になり、不正行為防止に有利になる。また、開口部はリブにより区画されて複数の開口を形成しているので、開口の長さが制限され、物体（例えば遊技メダル）の基板ケース内への侵入を防止できる。この構成では、幅の小さいリブで開口部を区画できるので、開口部の遮蔽面積が小さくなり、基板の放熱効果の低下を抑えることができる。
【００１０】
前記本発明の遊技機の基板ケースにおいては、前記エアガイドに、前記開口部に向かうにつれて、基板ケースの外側に傾斜した傾斜面が形成されていることが好ましい。この構成によれば、上方から侵入させた不正器具は、一旦傾斜面に当たるので、そのまま直線的に基板ケース内に侵入させることができず、不正行為防止を図ることができる。一方、空気が傾斜面に沿って上方に案内され易くなり、放熱効果が高まる。したがって、傾斜面の角度を適宜設定することにより、不正行為防止と放熱効果とを両立させることができる。
【００１１】
また、前記基板ケースの裏面側に、前記エアガイドの形成領域を囲んだ壁面で放熱空間を形成していることが好ましい。この構成によれば、壁面で囲まれた放熱空間内に、基板の発熱部分を配置することにより、放熱効果がより高まる。さらに、壁面を設けたことにより、基板ケースに侵入した不正器具のさらなる侵入が妨げられるので、不正行為防止により有利になる。
【００１２】
本発明の遊技機は、前記各本発明の遊技機の基板ケースを用いた遊技機であって、遊技機の外観を構成する筐体と、前記基板ケース内に基板を収容した基板ユニットとを備えており、前記基板ユニットは、前記基板ケースの前記開口部が上方に向くように、前記筐体の内部に配置されていることを特徴とする。この構成によれば、基板ユニットは前記各本発明の遊技機の基板ケースを用いているので、基板の放熱効果を高めつつ、不正行為を防止でき、あわせて基板ユニット内への物体の侵入防止を図ることができる。
【発明の効果】
【００１３】
本発明によれば、基板ケース内の熱気がエアガイドで案内されて、開口部を経て上方に排気されるので、基板の放熱効果が高まるとともに、外部から侵入させた針金等の不正器具の侵入経路はエアガイドにより制限されるので、不正行為防止に有利になる。あわせて、開口部はリブにより区画されていることにより、遮蔽面積を抑えつつ開口の長さが制限されるので、基板の放熱効果の低下を抑えつつ、物体の基板ケース内への侵入を防止できる。
【図面の簡単な説明】
【００１４】
【図１】本発明の一実施形態に係る遊技機の全体斜視図。
【図２】図１の遊技機の扉を取り外した内部を示す斜視図。
【図３】本発明の一実施形態に係る基板ユニットの斜視図。
【図４】図３に示した基板ユニットの分解斜視図。
【図５】本発明の一実施形態に係るサブ制御基板ユニットの斜視図。
【図６】図５に示したサブ制御基板ユニットの分解斜視図。
【図７】本発明の一実施形態に係る基板ケースの要部拡大図。
【図８】図７のＡＡ線における断面図。
【図９】図７のＡＡ線における断面図。
【図１０】本発明の一実施形態に係るサブ制御基板ユニットの分解状態を基板ケースの裏面側から見た斜視図。
【図１１】図７のＡＡ線における断面図。
【発明を実施するための形態】
【００１５】
以下、本発明の一実施形態について、図面を参照しながら説明する。図１は本発明の一実施形態に係る遊技機１の全体斜視図である。図２は、扉２を取り外した内部を示す斜視図である。遊技機１は、スロットマシンの例を示している。最初に、遊技機１の構成について概略的に説明する。図１に示したように、遊技機１の外観は筐体２と扉３とで構成されている。扉３はヒンジ機構により、開閉可能であり、扉３を開くことにより、図２に示したように筐体２の前側が開放状態になり、点検、部品交換及び遊技メダル補充等の作業を行うことができる。
【００１６】
図２において、筐体２の下部には電源ユニット１１が配置されている。電源ユニット１１により、遊技機１の電気的制御のための電源が供給される。筐体２の上部には、基板ユニット１０が配置されている。基板ユニット１０内には、遊技機１の動作を制御するための基板が収容されている。基板ユニット１０の構成部品である基板ケース２０には、エアガイド３０を設け、基板の放熱効果を高めつつ不正行為を防止し、あわせて物体の侵入防止を図るようにしている。基板ユニット１０及びエアガイド３０の詳細は後に説明する。
【００１７】
筐体２の中段部には、リール１２が配置されている。リール１２は表面に図柄が表示された回転体であり、予め定められた図柄の組み合わせが一定の有効ラインに揃うと、有効ラインに揃った図柄の組み合わせに応じて遊技メダルが払出しされる。リール１２の下側には、遊技メダルを払出すための遊技メダル払出装置１３が配置されている。遊技メダル払出装置１３から払い出された遊技メダルは、遊技メダル払出口１４（図１）から排出される。
【００１８】
図１において、扉２には、表示パネル４及び中パネル５が設けられている。表示パネル４には、ゲームの演出のための表示や各種情報が表示される。中パネル５は、リール１２の前面に配置されており、リール１２の図柄が表示される。スタートレバー７は、リール１２を回転させるためのレバーである。ストップスイッチ８は、リール１２を停止させるためのボタンである。
【００１９】
次に、遊技機１の遊技方法について概略的に説明する。遊技者は、遊技メダル投入口６に遊技メダルを投入する。このことにより、スタートレバー７が有効になる。遊技者がスタートレバー７を操作することで、遊技メダルの投入枚数が確定し、投入枚数に応じた役抽選処理が行なわれ、リールの制御が開始する。続いて、リール１２が回転し、リール停止可能になると、ストップスイッチ８のＬＥＤが点灯してストップスイッチ８が有効であることが知らされる。この状態で、ストップスイッチ８を押すと、押したストップスイッチ８に対応する一つのリール１２が停止する。３つのリール１２が全て停止したときに、有効ラインに揃った図柄の組み合わせに応じて払出しがされる。
【００２０】
以上、遊技機１の構成及び遊技方法について概略的に説明したが、基板ユニット１０内に収容された基板は、制御部品であるＣＰＵ等の発熱体が実装されており、基板ユニットには、通風孔を設けて放熱対策をする必要になる。通風孔を設けると、遊技機の外部から侵入させた針金等の不正器具の基板ケース内への侵入が容易になるため、あわせて不正行為対策が必要になる。また、通風孔は、物体の侵入防止対策も必要になる。前記のとおり、本実施形態に係る遊技機１は、基板ユニット１０の構成部品である基板ケース２０に、エアガイド３０を設け、基板の放熱効果を高めつつ不正行為を防止し、あわせて物体の侵入防止を図るようにしている。このことについて、以下、具体的に説明する。
【００２１】
図３は、本実施形態に係る基板ユニット１０の斜視図を示している。図４は、基板ユニット１０の分解斜視図である。図４において、基板ユニット１０は、主基板ユニット１７とサブ制御基板ユニット１８とを備えている。主基板ユニット１７は、基板ケース１９内に基板（図示せず）を収容したものである。同様に、サブ制御基板ユニット１８は、基板ケース２０内に基板３９（図６）を収容したものである。図３の状態では、図４に示した主基板ユニット１７及びサブ制御基板ユニット１８は基板ホルダー１６に固定されている。さらに、カバー１５により、主基板ユニット１７は全体が覆われ、サブ制御基板ユニット１８は一部が覆われて、エアガイド３０は露出している。
【００２２】
図５は、サブ制御基板ユニット１８単体の斜視図である。基板ケース２０には、エアガイド３０が形成されており、基板ケース２０内の熱気を外部に逃がす放熱仕様としている。放熱仕様の詳細は後に説明する。図６は、図５に示したサブ制御基板ユニット１８の分解斜視図である。基板ケース２０はカバー２１とベース２２とに分解可能である。基板３９は、カバー２１とベース２２とにより挟まれるように配置されて、基板ケース２０内に収容される。
【００２３】
図７は、基板ケース２０の要部拡大図である。図８及び図９は、図７のＡＡ線における断面図であり、各図は同一断面である。後に説明する図１１も同様である。図７に示したように、エアガイド３０は、基板ケース２０の表面に突設されており、開口部３１を有している。図８に示したように、エアガイド３０は、基板ケース２０の内側空間３２と外側空間３３との間で、開口部３１を介して、空気の流通を可能にする通風空間３４を形成している。基板ケース２０は、図２に示したように、開口部３１が上方に向くように、遊技機１に取り付けられる。暖気は上昇するため、図８において、基板ケース２０の内側空間３２の暖気は、通風空間３４を上昇し（矢印ａ）、基板ケース２０の外側空間３３に排気される。すなわち、通風空間３４は上方に開口しているので、暖気の排気が効率的になる。
【００２４】
本実施形態に係る基板ケース２０は、前記のように基板３９の放熱効果を高めることができるとともに、不正行為を防止することができる。不正行為は、遊技機１の外部から針金等の不正器具を侵入させ、この不正器具をさらに基板ケース２０内に侵入させて、遊技機１の誤動作を図る行為である。本実施形態では、エアガイド３０の開口部３1は上方に向いているので、不正器具の侵入方向が制限される。また、不正器具を開口部３１を経て基板ケース２０内に侵入させようとした場合、不正器具は突設されたエアガイド３０で形成された通風空間３４を経なければ、基板ケース２０内に侵入させることができない。具体的には、図９において、上方から侵入させた不正器具（矢印ｂ）は、そのまま直線的に基板ケース２０内に侵入させることができず、エアガイド３０に一旦当たり、基板ケース２０内への侵入が妨げられる。このため、不正器具を目的の位置に到達させることが困難になり、不正行為防止に有利になる。
【００２５】
図８〜図９及び図１１に示したエアガイド３０の断面形状は一例であり、この形状に限るものではない。本実施形態では、エアガイド３０に、開口部３１に向かうにつれて、基板ケース２０の外側に傾斜した傾斜面３５が形成されている。この構成によれば、傾斜面３５が形成されていることにより、図８のように、基板ケース２０の内部空間３２の空気が傾斜面３５に沿って上方に案内され易くなり、放熱効果が高まる。
【００２６】
また、図９に示したように、上方から侵入させた不正器具（矢印ｂ）は、一旦傾斜面３５に当たるので、そのまま直線的に基板ケース２０内に侵入させることができず、前記のとおり、不正行為防止を図ることができる。不正行為防止の効果は、傾斜面３５を傾斜の無い水平状態に近づけることにより、より高まる。一方、傾斜面３５の傾斜角度を大きくする（傾斜面３５を垂直状態に近づける）ことにより、空気が傾斜面３５に沿って上方に案内され易くなる効果が高まり、放熱効果が高まる。したがって、傾斜面３５の角度を適宜設定することにより、不正行為防止と放熱効果とを両立させることができる。
【００２７】
次に、基板ケース２０内への物体の侵入防止について説明する。図１において、遊技機１の点検、部品交換及び遊技メダル補充等の作業は、扉３を開いて、図２のように、筐体２の前側を開放状態にして行われる。図７のように、開口部３１を設けた基板ケース２０においては、これらの作業中に、物体が開口部３１を経て基板ケース２０内に侵入する可能性がある。本実施形態では、図７に示したように、開口部３１にリブ３８を形成して、基板ケース２０内への物体の侵入を防止している。
【００２８】
図７において、開口部３１はリブ３８により区画されており、一つ分のエアガイド３０に複数の開口を形成している。また、図８に示したように、通風空間３４は、リブ３８により仕切られる。このことにより、開口の長さが制限され、物体の基板ケース２０内への侵入を防止できる。この構成では、幅Ｗの小さいリブ３８で開口部３１を区画できるので、リブ３８を設けても開口部３１の遮蔽面積が小さくなり、基板３９の放熱効果の低下を抑えることができる。
【００２９】
リブ３８により開口部３１を区画することは、基板ケース２０を樹脂成形品とした場合は、容易に実現可能である。また、侵入可能性の高い物体は、遊技メダルである。遊技メダルの直径は２５ｍｍであり、各開口の長さが２５ｍｍ以下となるようにリブ３８を配置することが好ましい。
【００３０】
次に、基板ケース２０の好ましい構成について説明する。図１０は、サブ制御基板ユニット１８の分解状態を基板ケース２０の裏面側から見た斜視図である。カバー２１の裏面側には、Ｌ字形の壁４０が立設されている。壁４０の壁面と、カバー２１の外周壁２５の壁面とにより、カバー２１の裏面側に、エアガイド３０の形成領域を囲んだ放熱空間４１を形成している。この構成によれば、壁面で囲まれた放熱空間４１に対応する位置（図６の領域４２）に、基板３９の発熱部分を配置することにより、放熱効果がより高まる。さらに、壁４０を設けたことにより、基板ケース２０に侵入した不正器具のさらなる侵入が妨げられるので、不正行為防止により有利になる。
【００３１】
放熱空間４１を設けた構成では、放熱空間４１の開口が基板３９で塞がれて、放熱空間４１が閉じた空間になる。この場合であっても、エアガイド３０による基板３９の放熱効果が発揮される。図８に示したように、基板ケース２０の内側空間３２の暖気は、通風空間３４を上昇し（矢印ａ）、基板ケース２０の外側空間３３に排気される。その一方で、別の通風空間３４においては、図１１に示したように、基板ケース２０の外側空間３３の空気が、通風空間３４を経て内側空間３２に流入する（矢印ｃ）。すなわち、エアガイド３０を介して、内側空間３２と外側空間３３との間で、空気が往き来するので、基板３９の放熱効果が発揮される。
【００３２】
また、図１１のように、外側空間３３の空気が通風空間３４を経て内側空間３２に流入する場合であっても、傾斜面３５を形成していることにより、空気が傾斜面３５に沿って案内され易くなり、すなわち、外気が流入し易くなり放熱効果が高まる。
【００３３】
図１０では、カバー２１の外周壁２５の壁面が放熱空間４１用の壁面を兼ねているが、この構成に限るものではなく、放熱空間４１は、壁面により空間を形成したものであればよく、放熱空間４１の全周が放熱空間専用の壁面であってもよい。また、壁面の外周形状は、図１０のように四角形に限るものではなく、エアガイド３０の配置や基板３９の実装部品の配置に応じて適宜決定すればよい。
【００３４】
以上、本実施形態では、エアガイド３０を、サブ制御基板ユニット１８を構成する基板ケース２０に設けた例を説明したが、これは一例であり、エアガイド３０は、発熱部のある基板を収容する基板ケースに設ければよい。
【００３５】
また、本実施形態では、遊技機１は、スロットマシンの例を示したが、これに限るものではなく、本発明は、基板の放熱対策に加え、不正行為防止対策の必要となる遊技機に適用すればよい。
【符号の説明】
【００３６】
１  遊技機
２  筐体
３  扉
１０  基板ユニット
２０  基板ケース
３０  エアガイド
３１  開口部
３２  内側空間
３３  外側空間
３５  傾斜面
３８  リブ
３９  基板
４１  放熱空間
【要約】
【課題】基板の放熱効果を高めつつ不正行為を防止でき、あわせて物体の侵入防止を図ることができる遊技機の基板ケース及び遊技機を提供する。
【解決手段】遊技機の基板３９を収容する遊技機の基板ケース２０であって、開口部３１を有し、基板ケース２０の表面に突設されたエアガイド３０を備えており、エアガイド３０は、基板ケース２０の内側空間と外側空間との間で、開口部３１を介して、空気の流通を可能にする通風空間を形成し、基板ケース２０は、開口部３１が上方に向くように遊技機に取り付けるものであり、開口部３１はリブ３８により区画されて複数の開口を形成している。
【選択図】図６【図１】
0005515129.tif 000002
【図２】
0005515129.tif 000003
【図３】
0005515129.tif 000004
【図４】
0005515129.tif 000005
【図５】
0005515129.tif 000006
【図６】
0005515129.tif 000007
【図７】
0005515129.tif 000008
【図８】
0005515129.tif 000009
【図９】
0005515129.tif 000010
【図１０】
0005515129.tif 000011
【図１１】
0005515129.tif 000012